(57)【要約】【課題】１枚の葉書片で往復葉書を構成し、返信時に隠蔽情報を被覆隠蔽した状態で通信できる隠蔽情報往復葉書を提供する。【課題の解決手段】隠蔽情報表示用往復葉書１は、葉書片２の一面には往信用宛名情報３を表示する往信用宛名情報表示部を設けるとともに返信隠蔽情報記入部を設け、他面にはあらかじめ返信用宛名情報５を表示し、この返信用宛名情報表示面に、往信用宛名情報表示部と返信隠蔽情報記入部を被覆するのに十分な大きさを有する隠蔽ラベル６を、剥離可能で再粘着、再剥離可能な粘着剤層７を介して剥離可能に粘着し、隠蔽ラベル６の少なくとも一面には、返信隠蔽情報記入部に隠蔽情報を記入するために必要な説明情報８を表示してなるものである。【選択図】　　図２
2004142233.tif 000002
【特許請求の範囲】
【請求項１】
葉書片の一面には往信用宛名情報表示部を設けるとともに返信隠蔽情報記入部を設け、他面にはあらかじめ返信用宛名情報を表示し、この返信用宛名情報表示面に、前記往信用宛名情報表示部と前記返信隠蔽情報記入部を被覆するのに十分な大きさを有する隠蔽ラベルを、剥離可能で再粘着、再剥離可能な粘着剤層を介して剥離可能に粘着してなることを特徴とする隠蔽情報表示用往復葉書。
【請求項２】
隠蔽ラベルの少なくとも一面には、返信隠蔽情報記入部に隠蔽情報を記入するために必要な説明情報を表示してなることを特徴とする請求項１に記載の隠蔽情報表示用往復葉書。
【発明の詳細な説明】
【０００１】
【発明の属する技術分野】
本発明は、往復葉書に関し、特に、１枚の葉書片からなり、返信時に他人には知られたくない隠蔽情報を記入したうえ隠蔽した状態で通信できる隠蔽情報表示用往復葉書に関する。
【０００２】
【従来の技術】
従来から、１枚の葉書片からなり、隠蔽ラベルで隠蔽情報を視認不能として通信可能な往復葉書は知られているが、隠蔽情報は隠蔽ラベルの裏面に表示し、往信時に隠蔽情報を通信する一方、返信時には隠蔽ラベルを剥離して、通常の葉書と同様に、他人に知られても問題ない情報を通信するよう構成している（例えば、特許文献１参照）。
【０００３】
【特許文献１】
実開平２−１１２４８２号公報（図１〜図５）
【０００４】
【発明が解決しようとする課題】
したがって、従来においては、往信時宛名人が受領した往復葉書の隠蔽ラベルを剥離すると、隠蔽されていた隠蔽情報が露出して視認可能となる一方、返信時には、隠蔽ラベルを剥離した葉書片で通信するので、隠蔽情報は表示できないという不都合があった。本発明はこの不都合を解消し、返信時に隠蔽情報を表示して、これを隠蔽ラベルで被覆隠蔽して通信可能な、１枚の葉書片からなる隠蔽情報表示用往復葉書を提供することを目的とする。
【０００５】
【課題を解決するための手段】
この目的を達成するため、本発明の請求項１に係る隠蔽情報表示用往復葉書は、葉書片の一面には往信用宛名情報表示部を設けるとともに返信隠蔽情報記入部を設け、他面にはあらかじめ返信用宛名情報を表示し、この返信用宛名情報表示面に、前記往信用宛名情報表示部と前記返信隠蔽情報記入部を被覆するのに十分な大きさを有する隠蔽ラベルを、剥離可能で再粘着、再剥離可能な粘着剤層を介して剥離可能に粘着してなるものである。前記往信用宛名情報表示部に表示する往信用宛名情報は、返信用宛名情報とともにあらかじめ表示することもできるが、隠蔽ラベルを粘着した後に表示してもよいものである。
【０００６】
また、上記目的を達成するため、本発明の請求項２に係る隠蔽情報表示用往復葉書は、上記請求項１の構成において、隠蔽ラベルの少なくとも一面に、返信隠蔽情報記入部に隠蔽情報を記入するために必要な説明情報を表示してなるものである。この説明情報は秘匿性がないので、隠蔽ラベルの表出面に表示しても何ら問題はないものである。
【０００７】
【発明の実施の形態】
以下、本発明の好適な実施形態を添付図面に基づいて詳細に説明する。ここにおいて、図１は隠蔽情報表示用往復葉書の往信用宛名表示面側を示す平面図、図２は図１のＡ−Ａ線断面図、図３は隠蔽ラベルを剥離した状態の返信用宛名表示面側を示す平面図、図４は隠蔽情報を記入した往信用宛名表示面側を示す平面図、図５は隠蔽ラベルを再粘着して隠蔽情報を被覆隠蔽してなる隠蔽情報表示葉書の隠蔽ラベル面側を示す平面図である。
【０００８】
図１及び図２に示すように、隠蔽情報表示用往復葉書１は、葉書片２の一面には、そのほぼ上半分を占める往信用宛名情報表示部に往信用宛名情報３を表示するとともに、そのほぼ下半分には返信隠蔽情報記入部４を設けている。葉書片２の他面には返信用宛名情報５を表示し（図３参照）、この返信用宛名情報表示面に、前記往信用宛名情報３と前記返信隠蔽情報記入部４を被覆するのに十分な大きさを有する、葉書片２より一回り小さい大きさの隠蔽ラベル６を、剥離可能で再粘着、再剥離可能な粘着剤層７を介して剥離可能に粘着している。前記隠蔽ラベル６の表出面には、返信時に隠蔽情報を記入するために必要な説明や隠蔽情報表示用往復葉書１の使用法に関する説明などの情報を含む説明文８を表示している。
【０００９】
上述の粘着剤層７を構成する粘着剤は、剥離可能で、再粘着、再剥離が可能なものであればよいが、隠蔽ラベル６を返信用宛名表示面から剥離し、往信用宛名表示面側に再粘着して、隠蔽情報表示用往復葉書１を返信葉書として使用するために、郵送作業中に不用意に剥離することがない程度の粘着力を有することが必要である。
【００１０】
上述の隠蔽情報表示用往復葉書１は、図１及び図２状態で、通常の葉書と同様に投函可能である。この隠蔽情報表示用往復葉書１を受領した往信時宛名人は、説明文８にしたがって、隠蔽ラベル６を捲り上げて返信用宛名情報表示面から剥離すると、図３に示すように、前記返信用宛名情報表示面に表示されていた返信用宛名情報５が露出する。続いて、図４に示すように、同じく説明文８にしたがって、例えば預金口座の残高などの隠蔽情報９を返信隠蔽情報記入部４に記入する。そして、往信用宛名情報３と隠蔽情報９を被覆するように、隠蔽ラベル６を往信用宛名情報表示面に粘着剤層７によって再粘着し、図５に示すように、前記往信用宛名情報３と前記隠蔽情報９を視認不能な状態とした隠蔽情報表示返信葉書１１を形成し、投函することができる。
【００１１】
この隠蔽情報表示返信葉書１１を受領した返信時宛名人は、隠蔽ラベル６を捲り上げて往信用宛名情報表示面から剥離すると、図４に示すように、前記往信用宛名情報表示面に表示されていた隠蔽情報９が露出し、これを視認することができる。
【００１２】
なお、本発明は、上述した実施形態に限定されるものではなく、例えば、隠蔽情報９を記入するための説明文８は、隠蔽ラベル６の表出面ではなく、粘着面側に表示してもよい。この場合には、粘着剤層７は印字あるいは印刷が可能な粘着剤で形成するか、粘着剤層７を形成する前に説明文８を表示する必要がある。
【００１３】
【発明の効果】
以上説明したところで明らかなように、本願の請求項１に係る発明によれば、１枚の葉書片と隠蔽ラベルで往復葉書を構成できるとともに、返信時に隠蔽情報を隠蔽ラベルで被覆した状態で通信できるという効果を奏する。
【００１４】
また、本願の請求項２に係る発明によれば、上記請求項１に係る発明の効果に加えて、隠蔽ラベルの少なくとも一面に隠蔽情報の記入に必要な説明情報を表示したので、隠蔽情報の記入を容易かつ確実になしうるという効果を奏する。
【図面の簡単な説明】
【図１】隠蔽情報表示用往復葉書の往信用宛名表示面側を示す平面図。
【図２】図１のＡ−Ａ線断面図。
【図３】隠蔽ラベルを剥離した状態の返信用宛名表示面側を示す平面図。
【図４】隠蔽情報を記入した往信用宛名表示面側を示す平面図。
【図５】隠蔽ラベルを再粘着して隠蔽情報を被覆隠蔽してなる隠蔽情報表示返信葉書の隠蔽ラベル面側を示す平面図。
【符号の説明】
１　　　隠蔽情報表示用往復葉書
２　　　葉書片
３　　　往信用宛名情報
４　　　隠蔽情報記入欄
５　　　返信用宛名情報
６　　　隠蔽ラベル
７　　　粘着剤層
８　　　説明文
１１　　　隠蔽情報表示返信葉書
【図１】
2004142233.tif 000003
【図２】
2004142233.tif 000004
【図３】
2004142233.tif 000005
【図４】
2004142233.tif 000006
【図５】
2004142233.tif 000007